(57)【要約】【課題】  磁気活性の効率をさらに高め、装置を土中や水中にて使用しても長期間使用できるようシンプルな構造として装置の耐久力を高め、かつ装置の取付けや取り外しを単純、強固にすること。【解決手段】本考案は、水道管を磁石のＮ極とＳ極を互い違いに数組配置したＬ字型の鉄製の板を２つ用い、この鉄製板を互いに吸着させて水道管を挟ませることによって水道管の内部に十字状に磁場を交差させ、通過する水の活性化を効率よく速やかに行う。また装置表面にはクロムメッキ処理を行い、その上から焼付け塗装を施し、接合部は防水コーキング剤を補填することで耐久力を向上させた。【選択図】図１
0003104080.tif 000002
【実用新案登録請求の範囲】
【請求項１】
水道管内を通過する水を磁石の磁力によって瞬時に活性化させる磁気活性水製造装
置である。Ｌ字状に組んだ鉄製の板の内側に、Ｓ極を表にした磁石を取り付け、もう一
方の鉄板内側に磁石のＮ極を表にして取付ける。この磁石の配列を等間隔に数組取り付
ける。このＬ字状の鉄板を２つ用意し、片方を１８０度回転させ、水道管をはさんで吸
着させると2組の鉄板によって磁力は外部と遮断され、内部に磁気の閉回路が発生する。
はさまれた水道管の中を水が通過すると、磁力を受けてすみやかに活性化する磁気活性
水製造装置。
【考案の詳細な説明】
【技術分野】
【０００１】
本考案は水道管内の水を速やかに磁気活性させる装置に関するものである。
【背景技術】
【０００２】
従来の水道水を磁気活性する方法は、水道管内部や外部に磁石をそのまま取付けるも
のや鉄箱の中の左右に磁石を並べたものであったが、これらの場合磁力が外部へ漏れて
活性効率が下がったり、水垢がたまって水量が下がってしまうため実用性に乏しかった。
また、鉄箱式のものは磁石が横一列に並ぶため磁力の影響にムラがあり、鉄箱内部に水
がたまってサビの原因となった。また、ネジやバネで取付けるとその部分が錆びて破損
するため耐久性に問題があった。
【非特許文献１】ヴェ・イ・クラッセン著「水の磁気処理」在モスクワソ連邦著作権協会１９８２年
【考案の開示】
【考案が解決しようとする課題】
【０００３】
磁気活性の効率をさらに高め、装置を土中に埋設しても長期間使用できるよう耐久力
を高め、装置の取付けを単純、強固にすること。
【課題を解決するための手段】
【０００４】
本考案は、水道管を磁石のＮ極とＳ極を互い違いに数組配置したＬ字型の鉄製の板に
挟ませることによって十字状に磁場を交差させて、通過する水の活性化を効率よく速や
かに行う。
【考案の効果】
【０００５】
全く同じ形の装置を２つ用いて水道管を挟み込むことにより磁力を外部と完全に遮
断し、十文字状に磁気閉回路を生み出すことで高効率の磁気活性水製造装置ができる。
また、２つの装置は互いの磁力で吸着しあうため、ネジ止めや互いを固定する必要が
ない。装置表面をクロムメッキし、さらに錆び止めの焼付け塗装することによって防錆
効果も飛躍的に高まり、従来の欠点を補うことができた。
【考案を実施するための最良の形態】
【０００６】
同じ装置を２つ使用して吸着させて水道管を取り囲むようになっている。
【０００７】
２つの装置の磁石が水道管をはさんでそれぞれ縦と横にＮ極とＳ極が向かい会うよ
うに数組取付けてある。
【０００８】
２つの装置を吸着させると完全密封になる構造になっている。
【実施例】
【０００９】
以下、添付図面に従って一実施例を説明する。図１の１のＬ字型鉄製板を２つ向かい
合せ、６の水道管を挟みこんで磁石の磁力によって吸着させ固定する。１の内部には図
の２、３のように磁石のＮ極とＳ極が９０度の違いをもって交互に取り付けられており、
２つのＬ字型鉄製板を組み合わせると全ての磁石のＳ極とＮ極が縦横に向い合うこと
となる。実験の結果、磁気活性水製造装置にはこの対極が一番適していることがわかっ
た。
【図面の簡単な説明】
【００１０】
【図１】組み合わせた状態の磁気活性水製造装置の斜視図である。
【図２】磁気活性水製造装置を分離させ、分解した状態の斜視図である。
【符号の説明】
【００１１】
１．Ｌ字型鉄製板
２．磁石（Ｎ極を表）
３．磁石（Ｓ極を表）
４．中フタ
５．側面フタ
６．水道管
【図１】
0003104080.tif 000003
【図２】
0003104080.tif 000004
【手続補正書】
【提出日】平成16年5月11日(2004.5.11)
【手続補正１】
【補正対象書類名】実用新案登録請求の範囲
【補正対象項目名】全文
【補正方法】変更
【補正の内容】
【実用新案登録請求の範囲】
【請求項１】
水道管の外側に永久磁石を複数個配置し、この磁石の磁気によって通過する水を活性化する水を活性化する磁気活性水製造装置であり、三角柱型の磁石収納箱を２つ用いて水道管を挟み込み互いの磁石の吸着力によって取付ける構造を特徴とする磁気活性水製造装置。
【手続補正２】
【補正対象書類名】明細書
【補正対象項目名】全文
【補正方法】変更
【補正の内容】
【考案の詳細な説明】
【技術分野】
【０００１】      本考案は水道管内を通過する水を磁石の磁気を利用して速やかに活性化させる装置に関する。
【背景技術】
【０００２】特開平１１−２３９７９３には磁石の磁力によって水を活性化させる装置がしめされている。この装置はケーシングの内部に磁石を配置し、この磁石の磁力をケーシングに形成された入り口から同出口から出る水に作用させることにより、ケーシング内で水を活性化させるものである。【非特許文献１】ヴェ・イ・クラッセン著「水の磁気処理」在モスクワソ連邦著作権協会１９８２年
【考案の開示】
【考案が解決しようとする課題】
【０００３】一般家庭においてこのような磁気活性水製造装置を使用する場合、全ての蛇口から活性水を給水できるように水道メーターの２次側への土中埋設取付が求められるが、この際に取付工事を簡単に行えることや、固定用のネジやバネが錆びて破損しないように工夫する必要があった。
【課題を解決するための手段】
【０００４】本考案による磁気活性水製造装置は、Ｌ字型の磁性体板の内側に磁力のＳ極を表面にした永久磁石とＮ極を表面にした永久磁石を複数個、等間隔で交互に配置して磁石収納箱を形成し、この全く同じ構造の磁石収納箱を２個用いて１つの磁気活性水製造装置として使用する【０００５】ひとつの磁石収納箱に対してもう一方の磁石収納箱を１８０度回転させて向かい合わせると、２つの磁石収納箱内の磁石のＳ極とＮ極が互いに対向して２つの磁石収納箱は吸着し、２方向の吸着力が発生するためにこの吸着は非常に強力なものとなる。【０００６】水道管を挟んで吸着させて直方体形となった磁石収納箱の内部には磁気の閉回路が形成され、挟まれた水道管内を通過する水はこの磁気により活性化する。
【考案の効果】
【０００７】本考案により、装置本体内部に配置された磁石の磁力によって水道管内を通過する水を活性化すると同時に、固定用のネジもバネも使用せず、磁石の吸着力を利用することで取付工事を簡単にし、錆びやすい固定用具をなくす事で磁気活性水製造装置の耐久力を大きく向上させることができた。
【考案を実施するための最良の形態】
【０００８】以下に本考案の実施形態を図面に基づいて説明する。【０００９】図１は本考案の磁気活性水製造装置の使用状態を示す斜視図、図２は磁石収納箱の内部を締めす斜視図、図３は磁石収納箱を密閉する側板と中蓋の斜視図、図４は磁石収納箱を組合わせる状態を示す斜視図、図５は取付後の磁気活性水製造装置の正断面図である。【００１０】図１に示す磁気活性水製造装置は図４に示す磁石収納箱６を主要部材とし、これを２個用いてその中央に水道管１０を配するようになっている。【００１１】前記磁石収納箱６はＬ字型の磁性体からなる支持体２に永久磁石のＳ極を上面にしたものとＮ極を上面にしたものを図２が示すように交互に偶数個の磁石を配置する。【００１２】前記Ｌ字型の支持体に図３の側板４Ａ、４Ｂ中蓋５を取り付け、その接合部をコーキング剤を用いて密封し、磁石収納箱を完全防水状態として内部を腐食から守る。【００１３】密封された磁石収納箱２個のうちその一方を１８０度回転させ、図４に示すように側板４Ａと側板４Ｂが並ぶように向い合わせると、２個の磁石収納箱の磁石は全てＮ極とＳ極が対向し、その磁力で吸着する。万一、向きを間違えて取付ようとしても磁石が反発するので方向を間違うことは無い。【００１４】図５が示すように、本考案による磁気活性水製造装置は水道管を中心に左右、上下に磁石が配置されることにより、水道水を効率よく活性化することができ、同時に磁力を利用して取付工程を簡易化し、耐久性を高めることができる。
【図面の簡単な説明】
【００１５】
【図１】本考案の磁気活性水製造装置の使用状態をを示す斜視図。
【図２】磁石収納箱の内部を示す斜視図。
【図３】磁石収納箱を密閉する側板と中蓋の斜視図。
【図４】磁石収納箱を組合わせる状態を示す斜視図。
【図５】取付後の磁気活性水製造装置の正断面図。
【符号の説明】
【００１６】１．磁気活性水製造装置２．磁石収納箱支持体３Ａ．Ｎ極を表にした磁石３Ｂ．Ｓ極を表にした磁石４Ａ．側板４Ｂ．側板５．中蓋６．磁石収納箱１０．水道管
【手続補正３】
【補正対象書類名】図面
【補正対象項目名】全図
【補正方法】変更
【補正の内容】
【図１】
0003104080.tif 000005
【図２】
0003104080.tif 000006
【図３】
0003104080.tif 000007
【図４】
0003104080.tif 000008
【図５】
0003104080.tif 000009